(57)【要約】      （修正有）【課題】リボンシールを構成するシールの表面上への浮き出しを少なくし得るリボン形成用の布片を提供する。【解決手段】リボンシール用のリボンを形成するための布片１０であって、布片は、２つの帯状部１２、１４と、両帯状部に連なる連接部１６とを備える。連接部は、連接部を中心とする両帯状部の相対的回転を許す。両帯状部は、両帯状部が相対的に回転された状態で見て、互いに交差する本体部分１２Ａ、１４Ａと、互いに当接する頭部分１２Ｂ、１４Ｂとを有する。【選択図】図１
0003218220.tif 000002
【実用新案登録請求の範囲】
【請求項１】
リボンシール用のリボンを形成するための布片であって、
２つの帯状部と、両帯状部に連なる連接部であって該連接部を中心とする両帯状部の相対的回転を許す連接部とを備え、
両帯状部は、両帯状部が相対的に回転された状態で見て、互いに交差する本体部分と、互いに当接する頭部分とを有する、布片。
【請求項２】
両帯状部は、両帯状部が相対的に回転される前の状態で見て、並列の配置状態におかれ、
前記連接部は、両帯状部の本体部分と頭部分との境界又はその近傍において、両帯状部に連なっている、請求項１に記載の布片。
【請求項３】
両帯状部は、両帯状部が相対的に回転される前の状態で見て、直列の配置状態におかれ、
前記連接部は、両帯状部の頭部分において、両帯状部に連なっている、請求項１に記載の布片。
【請求項４】
両帯状部の頭部分は、両帯状部が相対的に回転された状態で見て、一の直線上を伸びる辺縁を有する、請求項１〜３のいずれか１項に記載の布片。
【考案の詳細な説明】
【技術分野】
【０００１】
本考案は、リボンシール用のリボンを形成するための布片に関する。
【背景技術】
【０００２】
贈答品、その包装等からなる物品の装飾のため、シールと該シールの粘着面（裏面）に貼り付けられたリボンとからなるリボンシールが用いられている。
【０００３】
従来、リボンシール用のリボンを形成するための手段としてこれをリボン片とすることが提案されている。これによれば、前記リボン片の両端部を互いに折り重ねて交差させることによりリボンシール用のリボンが形成される。
【０００４】
ところで、リボンシールを構成するシールは通常比較的薄い紙片からなる。このため、物品へのリボンシールの取り付けのためにシールをその表面上から物品に押し付けたとき、シールの表面上にリボンの折り重ねの部分（凹凸をなす部分）が浮き出し、これがリボンシールによる物品の装飾性を損ねるという問題がある。
【先行技術文献】
【特許文献】
【０００５】
【特許文献１】実開平６−２５８７３号公報
【考案の概要】
【考案が解決しようとする課題】
【０００６】
したがって、本考案の目的は、リボンシールを構成するシールの表面上への浮き出しを少なくし得るリボンの形成手段を提供することにある。
【課題を解決するための手段】
【０００７】
本考案はリボンシール用のリボンを形成するための布片に係る。布片は、２つの帯状部と、両帯状部に連なる連接部であって該連接部を中心とする両帯状部の相対的回転を許す連接部とを備える。両帯状部は、両帯状部が相対的に回転された状態で見て、互いに交差する本体部分と、互いに当接する頭部分とを有する。
【０００８】
本考案によれば、布片の両帯状部をこれらに連なる連接部を中心として相対的に回転させると、両帯状部がこれらの本体部分において互いに交差し、かつ、これらの頭部分において互いに当接する。その結果、互いに重なり合う部分を有しない、したがって全体に平坦なリボンが得られる。このことから、得られたリボンがシールの粘着面（裏面）に貼り付けられてなるシールリボンをそのシールの表面から物品上に押し付けて張り付けるとき、前記シールの表面に現れる前記リボンの浮き出しの程度を比較的小さいものとすることができる。
【０００９】
前記布片の一の例において、両帯状部は、両帯状部が相対的に回転される前の状態で見て、並列の配置状態におかれ、前記連接部は、両帯状部の本体部分と頭部分との境界又はその近傍において、両帯状部に連なる。また、前記布片の他の例において、両帯状部は、両帯状部が相対的に回転される前の状態で見て、直列の配置状態におかれ、前記連接部は、両帯状部にこれらの頭部分において連なる。両帯状部の頭部分は、好ましくは、両帯状部が相対的に回転された状態で見て、一の直線上を伸びる辺縁を有する。
【図面の簡単な説明】
【００１０】
【図１】２つの帯状部が並列の配置状態にある一の例に係る布片の平面図である。
【図２】図１に示す布片から形成されたリボンの平面図である。
【図３】図２に示すリボンとシールとからなるリボンシールの平面図である。
【図４】２つの帯状部が直列の配置状態にある布片の平面図である。
【図５】図４に示す布片から形成されたリボンの平面図である。
【図６】２つの帯状部が並列の配置状態にある他の例に係る布片の平面図である。
【図７】図６に示す布片から形成されたリボンの平面図である。
【考案を実施するための形態】
【００１１】
図１を参照すると、本考案の一例に係る布片が全体に符号１０で示されている。布片１０からリボンシール３２（図３）用のリボン３０（図２）が形成される。形成されたリボン３０は、リボンシール３２を作成するためにその一部として用いられる。すなわち、リボン３０は、粘着剤（図示せず）が塗布された紙片からなる円形のシール３４の裏面の一部に接着され、これによりリボンシール３２が作成される。リボンシール３２は、シール３４の裏面の残りの一部において、贈答品のような物品（図示せず）にその装飾のために押し付けて貼り付けられる。なお、シール３４は、図示の円形のほか、例えば楕円形のような他の平面形状を有するものが用いられる。
【００１２】
布片１０は、２つの帯状部１２、１４と、両帯状部１２、１４に連なる連接部１６とを備える。連接部１６は連接部１６を中心とする両帯状部１２、１４の相対的回転を許す。
【００１３】
布片１０は、例えば、ナイロン繊維やポリエステル繊維のような合成繊維、アセテートのような化学繊維等、天然繊維等からなる織物又は不織布、ポリプロピレンやビニル繊維製のテープ等からなる。
【００１４】
両帯状部１２、１４が連接部１６を中心として相対的に回転された状態、例えば一方の帯状部１２が連接部１６を中心として他方の帯状部１４に対して反時計方向ａに回転された状態（図２に示す状態）で見て、両帯状部１２、１４は互いに交差する本体部分１２Ａ、１４Ａと、互いに当接する頭部分１２Ｂ、１４Ｂとを有する。連接部１６を中心とする両帯状部１２、１４の前記相対的回転により、リボン３０が形成される。得られたリボン３０は、互いに重なり合う部分を有しない、全体に平坦な形態をなす。
【００１５】
図示の両帯状部１２、１４は同一の平面形状を有する。図示の例にあっては、両帯状部１２、１４の本体部分１２Ａ、１４Ａはそれぞれ細長い矩形状の外形を有し、頭部分１２Ｂ、１４Ｂは、それぞれ、本体部分１２Ａ、１４Ａから山形に突出する外形を有する。但し、両帯状部１２、１４は互いに異なる平面形状を有するものとすること、例えば頭部分１２Ｂ、１４Ｂの前記外形が互いに異なるもの（例えば、前記山形の尖端のなす角度の大きさ（後記βの大きさ）が異なるもの）とすることができる。
【００１６】
一方の帯状部１２の本体部分１２Ａは互いに相対する第１の側縁１２ａ及び第２の側縁１２ｂを有し、頭部分１２Ｂは前記山形の外形を規定する第１の辺縁１２ｃ及び第２の辺縁１２ｄを有する。本体部分１２Ａの第１及び第２の両側縁１２ａ、１２ｂは互いに平行に伸び、また、頭部分１２Ｂの第１及び第２の両辺縁１２ｃ、１２ｄは互いに他の一方に向けて伸び、これらの交差箇所が前記山形の尖端を規定する。
【００１７】
同様に、他方の帯状部１４の本体部分１４Ａは互いに相対する第１の側縁１４ａ及び第２の側縁１４ｂを有し、また、頭部分１４Ｂは前記山形の外形を規定する第１の辺縁１４ｃ及び第２の辺縁１４ｄを有する。本体部分１４Ａの第１及び第２の両側縁１４ａ、１４ｂは互いに平行に伸び、また、頭部分１４Ｂの第１及び第２の両辺縁１４ｃ、１４ｄは互いに他の一方に向けて伸び、これらの交差箇所が前記山形の尖端を規定する。
【００１８】
両帯状部１２、１４は、両帯状部１２、１４が相対的に回転される前の状態（図１に示す状態）で見て、並列の配置状態におかれている。この状態で見て、両帯状部１２，１４の山形の頭部分１２Ｂ、１４Ｂを規定する第１の辺縁１２ｃ、１４ｃは角度αをなして交差している。したがって、両帯状部１２、１４の連接部１６を中心とする前記相対的回転における両帯状部１２、１４の回転角度はαであり、また、両帯状部の頭部分１２Ｂ、１４Ｂにおける当接箇所はこれらの第１の辺縁１２ｃ、１４ｃである。
【００１９】
連接部１６は、両帯状部１２、１４の本体部分１２Ａ、１４Ａと頭部分１２Ｂ、１４Ｂとの境界において、両帯状部１２、１４に連なっている。図示の例にあっては、一方の帯状部１２の本体部分１２Ａにおける第１の側縁１２ａ及び頭部分１２Ｂにおける第１の辺縁１２ｃの境界又は交点と、他方の帯状部１４の本体部分１４Ａにおける第１の側縁１４ａ及び頭部分１４Ｂにおける第１の辺縁１４ｃの境界又は交点とにおいて、連接部１６が両帯状部１２、１４に連なっている。連接部１６は、両境界（両交点）の近傍、すなわち両境界から第１の側縁１２ａ、１４ａの側又は第１の辺縁１２ｃ、１４ｃの側にずれた位置にあってもよい。
【００２０】
図示の連接部１６は、両帯状部１２、１４間を伸びる比較的短くかつ細い矩形の外形を有する。連接部１６の外形は、その形状を問わず、点状に近いものであることが望ましい。
【００２１】
また、図示の例においては、両帯状部１２、１４が相対的に回転された図２に示す状態で見て、両帯状部１２、１４の頭部分１２Ｂ、１４Ｂにおける第２の辺縁１２ｄ、１４ｄが一の直線ｌ上を伸びている。これは、両帯状部１２、１４のそれぞれの頭部分１２Ｂ、１４Ｂにおける前記山形の尖端がなす角度、すなわち頭部分１２Ｂにおける第１及び第２の両辺縁１２ｃ、１２ｄのなす交差角度β、及び、頭部分１４Ｂにおける第１及び第２の両辺縁１４ｃ、１４ｄのなす交差角度βが共に９０°（β＝９０°）に設定されていることによる。
【００２２】
また、図示の両帯状部１２、１４は、それぞれ、頭部分１２Ｂ、１４Ｂにそれぞれ相対する脚部分１２Ｃ、１４Ｃを有する。両脚部分１２Ｃ、１４Ｃは、それぞれ、布片１０から形成されるリボン３０の装飾効果を高めることを目的として設けられたＶ字形の切欠き１２ｅ、１４ｅを有する。
【００２３】
布片１０は、例えば、両帯状部１２、１４の幅寸法の和に等しい幅寸法を有する広幅のリボン片を準備し、前記広幅のリボン片の両端部の一方から他の一方に向けて伸びかつ他の一方の端部の直前で終端するスリットを形成し、また、前記広幅のリボン片の他の一方の端部及び一方の端部にそれぞれその幅方向に連続する２つの山形を形成し、さらに２つのＶ字形の切欠きを形成することにより、得ることができる。布片１０の平面形状を、両帯状部１２、１４が相対的に回転される前の状態（図１に示す状態）で見て、並列の配置状態におかれているものとすることにより、前記リボン片から布片１０を得るときの歩留まりを比較的大きいものとすることができる。
【００２４】
布片１０の両帯状部１２、１４は、図４に示すように、両帯状部１２、１４が連接部１６を中心とする相対的回転の前の状態で見て、直列の配置状態におかれているものとすることができる。図示の両帯状部１２、１４は、図１及び図２に示す帯状部１２、１４と同一の平面形状を有する。
【００２５】
この例にあっては、連接部１６が、両帯状部１２、１４の頭部分１２Ｂ、１４Ｂにおいて、両帯状部１２、１４に連なっている。より詳細には、一方の帯状部１２の頭部分１２Ｂにおける第１及び第２の両辺縁１２ｃ、１２ｄの交点と、他方の帯状部１４の頭部分１４Ｂにおける第１及び第２の両辺縁１４ｃ、１４ｄの交点とにおいて、連接部１６が両帯状部１２、１４に連なっている。図４に示す連接部１６は、図１に示す例におけるとほぼ同様の全体形状又は平面形状を有する。
【００２６】
図４に示す布片１０によれば、連接部１６を中心として、一方の帯状部１２を他方の帯状部１４に向けて時計方向ａに回転させると、両頭部分１２Ｂ、１４Ｂがこれらの第２の辺縁１２ｄ、１４ｄにおいて互いに当接する。その結果、図２に示すリボン３０と実質的に同一の平面形状を呈するリボン４０が得られる（図５）。得られたリボン４０にあっては、帯状部１２の本体部分１２Ａにおける第２の側縁１２ｂと、帯状部１４の本体部分１４Ａにおける第２の側縁１４ｂとが角度αで交差する。角度αは、前記相対的回転の前の状態（図４に示す状態）における両帯状部１２、１４の頭部分１２Ｂ、１４Ｂにおける第１の辺縁１２ｃ、１４ｃがなす角度と同じ大きさの角度である。また、このリボン４０においては、一方の帯状部１２の頭部分１２Ｂにおける第１の辺縁１２ｃと、他方の帯状部１４の頭部分１４Ｂにおける第１の辺縁１４ｃとが一の直線ｌ上を伸長している。
【００２７】
図４に示す布片１０にあっては、その連接部１６を中心として、一方の帯状部１２を他方の帯状部１４に向けて反時計方向ｂに回転させ、これにより両頭部分１２Ｂ、１４Ｂがこれらの第１の辺縁１２ｃ、１４ｃにおいて互いに当接するようにしても、リボン（図示せず）が得られる。得られた前記リボンにおいては、両帯状部１２、１４の本体部分１２Ａ、１４Ａが、前記相対的回転前における両帯状部１２、１４の頭部分１２Ｂ、１４Ｂの第２の辺縁１２ｄ、１４ｄ相互の交差角度であるγ（γ＞α）で交差する。また、一方の帯状部１２の頭部分１２Ｂにおける第２の辺縁１２ｄと、他方の帯状部１４の頭部分１４Ｂにおける第２の辺縁１４ｄとが一の直線（図示せず）上を伸長する。
【００２８】
図４に示す布片１０は、各帯状部１２、１４と同じ幅寸法を有する比較的長い細幅のリボン片を準備し、前記細幅のリボン片にその長さ方向中央部においてその両側縁にそれぞれ角度の異なる２つのＶ字形の切欠きを形成し、また、前記細幅のリボン片の一方の端部及び他の一方の端部にそれぞれ２つのＶ字形の切欠きを形成することにより、得ることができる。この例においても、前記リボン片から布片１０を得るときの歩留まりを比較的大きいものとすることができる。
【００２９】
次に、図６及び図７を参照すると、両帯状部１２、１４が相対的に回転される前の状態で見て、両帯状部１２、１４が並列の配置状態におかれている他の例に係る布片１０及び該布片から形成されたリボン５０がそれぞれ示されている。
【００３０】
この例に係る布片１０にあっては、一方の帯状部１２が他方の帯状部１４より大きい長さ寸法を有する。また、両帯状部１２、１４が相対的に回転される前の状態で見て、両帯状部１２、１４がこれらの脚部分１２Ｃ、１４Ｃにおいて揃えられ、両本体部分１２Ａ、１４Ａがこれらの幅方向に関して互いに相対している。
【００３１】
また、他方の帯状部１４の頭部分１４Ｂは本体部分１４Ａの端部分からなり、頭部分１４Ｂは本体部分１４Ａの前記端部分が規定する単一の辺縁１４ｃのみを有する。ここにおいて、辺縁１４ｃは、本体部分１４Ａにおける第１及び第２の両側縁１４ａ、１４ｂに対して直交している。
【００３２】
また、一方の帯状部１２は、その本体部分１２Ａの第１の側縁１２ａに連なりかつ該第１の側縁の延長方向へ伸びる第１の辺縁１２ｃと、本体部分１２Ａの第２の側縁１２ｂに連なりかつ第１の辺縁１２ｃに対して４５度の角度で交差する第２の辺縁１２ｄとを有する。
【００３３】
両帯状部１２、１４の連接部１６は、一方の帯状部１２の本体部分１２Ａと頭部分１２Ｂとの境界と、他方の帯状部１４の本体部分１４Ａと頭部分１４Ｂとの境界すなわち側縁１４ａと辺縁１４ｃとの交点とにおいて、両帯状部１２、１４に連なっている。
【００３４】
この例に係る布片１０によれば、連接部１６を中心として一方の帯状部１２を他方の帯状部１４に向けて反時計方向ａに回転させ、これにより一方の帯状部１２の頭部分１２Ｂにおける第１の辺縁１２ｃが他方の帯状部１４の頭部分１４Ｂにおける辺縁１４ｃに当接すると、リボン５０が形成される。ここにおいて、一方の帯状部１２の頭部分１２Ｂの第２の辺縁１２ｄは一の直線ｌ上を伸びる。なお、両帯状部１２、１４が相対的に回転される前の状態で見て、一方の帯状部１２の第２の辺縁１２ｄが、他方の帯状部１４の辺縁１４ｃに対してこれと平行に伸びるものとすることができる。ここにおいて、第１の辺縁１２ｃは第１の側縁１２ａの一部をなす。
【符号の説明】
【００３５】
１０  布片
１２、１４  帯状部
１２Ａ、１４Ａ  本体部分
１２Ｂ、１４Ｂ  頭部分
１２ａ、１４ａ  本体部分の第１の側縁
１２ｂ、１４ｂ  本体部分の第２の側縁
１２ｃ、１４ｃ  頭部分の第１の辺縁
１２ｄ、１４ｄ  頭部分の第２の辺縁
１６  連接部
３０、４０、５０  リボン
３２  リボンシール
３４  シール
【図１】
0003218220.tif 000003
【図２】
0003218220.tif 000004
【図３】
0003218220.tif 000005
【図４】
0003218220.tif 000006
【図５】
0003218220.tif 000007
【図６】
0003218220.tif 000008
【図７】
0003218220.tif 000009